(57)【要約】【課題】従来、通信形態が１対複数となるマルチキャスト通信を行う無線通信システムでは、周波数選択性フェージングの影響を受けた場合に、全ての受信装置に対して最適なデータ伝送率制御を実施することができなかった。【解決手段】マルチキャリア伝送方式により、マルチキャスト通信を行うための無線通信方法であって、各受信ノード２０・３０・４０における複数の搬送波Ｃ１〜Ｃ１４のうち、周波数選択性フェージングの影響により使用不可となっている搬送波を検出する第１のステップと、前記第１のステップでの検出結果に基づいて、全ての受信ノードにおいて使用可能となっている搬送波を抽出する第２のステップと、前記第２のステップにて抽出された、全ての受信ノードにおいて使用可能な搬送波のみを用いて、送信ノード１０から各受信ノードへのデータ伝送を行う第３のステップとを備える。【選択図】  図１
2008109406.tif 000002
【特許請求の範囲】
【請求項１】
複数の搬送波を用いてデータ伝送を行うマルチキャリア伝送方式により、一つの送信ノードから複数の受信ノードに対して、同時に同一内容のデータを伝送するマルチキャスト通信を行うための無線通信方法であって、
前記各受信ノードにおける複数の搬送波のうち、周波数選択性フェージングの影響により使用不可となっている搬送波を検出する第１のステップと、
前記第１のステップでの検出結果に基づいて、全ての受信ノードにおいて使用可能となっている搬送波を抽出する第２のステップと、
前記第２のステップにて抽出された、全ての受信ノードにおいて使用可能な搬送波のみを用いて、前記送信ノードから各受信ノードへのデータ伝送を行う第３のステップと、
を備えることを特徴とする無線通信方法。
【請求項２】
前記第２のステップにおいて、全ての受信ノードにて使用可能ではないが、少なくとも１以上の受信ノードにて使用可能である搬送波を抽出し、
前記少なくとも１以上の受信ノードにて使用可能である搬送波を、その受信ノードと送信ノードとの間の個別通信に用いる、
ことを特徴とする請求項１に記載の無線通信方法。
【請求項３】
一つの送信ノードと、複数の受信ノードとを備えた無線通信システムであって、
前記送信ノードは、複数の搬送波を用いてデータ伝送を行うマルチキャリア伝送方式により、複数の受信ノードに対して、同時に同一内容のデータを伝送するマルチキャスト通信を行うように構成され、
前記各受信ノードは、周波数選択性フェージングの影響により使用不可となっている搬送波を検出するとともに、使用不可となっている搬送波の検出結果に基づいて使用可能な搬送波を抽出して、抽出した使用可能な搬送波のデータを送信ノードへ送信し、
前記送信ノードは、各受信ノードから送信された使用可能な搬送波のデータに基づいて、全ての受信ノードにおいて使用可能な搬送波を抽出し、全ての受信ノードで使用可能な搬送波のみを用いて、各受信ノードへのデータ伝送を行う、
ことを特徴とする無線通信システム。
【請求項４】
前記各受信ノードは、全ての受信ノードにて使用可能ではないが、少なくとも１以上の受信ノードにて使用可能である搬送波を抽出し、抽出した少なくとも１以上の受信ノードにて使用可能な搬送波のデータを送信ノードへ送信し、
前記送信ノードは、前記少なくとも１以上の受信ノードにて使用可能である搬送波を、その受信ノードと送信ノードとの間の個別通信に用いる、
ことを特徴とする請求項３に記載の無線通信システム。
【発明の詳細な説明】
【技術分野】
【０００１】
本発明は、一つの送信ノードから複数の受信ノードに対して、同時に同一内容のデータを伝送するマルチキャスト通信を行うための無線通信方法および無線通信システムに関する。
【背景技術】
【０００２】
壁や天井などの反射物が多数存在する、屋内や車両内などのマルチパス環境下で無線通信を行う場合、反射波が相互に干渉することなどにより周波数選択性フェージングが発生することがある。
無線通信において周波数選択性フェージングが発生すると、受信した電波にノイズが生じたり、符号の復号化ができなくなったりして、通信品質が低下することがある。
このように、通信品質に影響を与える周波数選択性フェージングに対する対策技術が特許文献１に開示されている。
つまり、特許文献１においては、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調等のマルチキャリア伝送方式による無線通信を行う場合に、ある判定基準によって通信チャネル（キャリア：搬送波）の特性を把握し、把握した特性に応じてデータ転送率を適宜制御する技術が開示されている。
【特許文献１】特開２００５−５１０９０４号公報
【発明の開示】
【発明が解決しようとする課題】
【０００３】
前述の特許文献１に示すごとくの、データ伝送率を制御する技術によっては、１対１の通信形態（一つの送信装置と一つの受信装置との間での通信）の場合に、通信品質を向上させることが可能となる。
しかし、前記周波数選択性フェージングは受信装置の搭載位置によって発生する周波数と減衰量（チャネル特性）が異なるため、通信形態が１対複数（一つの送信装置と複数の受信装置との間での通信）となるマルチキャスト通信の場合には、特許文献１に記載の技術では、一つの受信装置に対して最適なデータ伝送率制御を実施すると、他の受信装置の通信品質が低下してしまうこととなって、全ての受信装置に対して最適なデータ伝送率制御を実施することができなかった。
【０００４】
このため、マルチキャスト通信の場合には、受信装置毎に通信品質のばらつきが発生し、フェージングを受けたキャリアのみで送信されたデータは受信することができずに、通信システムに致命的な不具合をもたらす可能性がある。
また、仮に、特許文献１に記載の技術では、システムが備える全ての受信装置に対して品質を確保した通信を行うためには、受信装置の数だけの回数の通信を行う必要があり、通信効率が低下してしまうこととなる。
【課題を解決するための手段】
【０００５】
上記課題を解決する無線通信方法および無線通信システムは、以下の特徴を有する。
即ち、請求項１記載の如く、複数の搬送波を用いてデータ伝送を行うマルチキャリア伝送方式により、一つの送信ノードから複数の受信ノードに対して、同時に同一内容のデータを伝送するマルチキャスト通信を行うための無線通信方法であって、前記各受信ノードにおける複数の搬送波のうち、周波数選択性フェージングの影響により使用不可となっている搬送波を検出する第１のステップと、前記第１のステップでの検出結果に基づいて、全ての受信ノードにおいて使用可能となっている搬送波を抽出する第２のステップと、前記第２のステップにて抽出された、全ての受信ノードにおいて使用可能な搬送波のみを用いて、前記送信ノードから各受信ノードへのデータ伝送を行う第３のステップとを備える。
これにより、周波数選択性フェージングに影響を受けていない正常なキャリアのみ使用して通信が行われることとなるので、受信ノード毎の通信品質にばらつきが生じることなく、通信品質が低下することを回避するとともに、通信効率を低下させることもなく、信頼性の高い無線通信を行うことが可能となる。
【０００６】
また、請求項２記載の如く、前記第２のステップにおいて、全ての受信ノードにて使用可能ではないが、少なくとも１以上の受信ノードにて使用可能である搬送波を抽出し、前記少なくとも１以上の受信ノードにて使用可能である搬送波を、その受信ノードと送信ノードとの間の個別通信に用いる。
これにより、使用可能なキャリアを有効に活用することが可能となり、通信効率の向上を図ることができる。
【０００７】
また、請求項３記載の如く、一つの送信ノードと、複数の受信ノードとを備えた無線通信システムであって、前記送信ノードは、複数の搬送波を用いてデータ伝送を行うマルチキャリア伝送方式により、複数の受信ノードに対して、同時に同一内容のデータを伝送するマルチキャスト通信を行うように構成され、前記各受信ノードは、周波数選択性フェージングの影響により使用不可となっている搬送波を検出するとともに、使用不可となっている搬送波の検出結果に基づいて使用可能な搬送波を抽出して、抽出した使用可能な搬送波のデータを送信ノードへ送信し、前記送信ノードは、各受信ノードから送信された使用可能な搬送波のデータに基づいて、全ての受信ノードにおいて使用可能な搬送波を抽出し、全ての受信ノードで使用可能な搬送波のみを用いて、各受信ノードへのデータ伝送を行う。
これにより、周波数選択性フェージングに影響を受けていない正常なキャリアのみ使用して通信が行われることとなるので、受信ノード毎の通信品質にばらつきが生じることなく、通信品質が低下することを回避するとともに、通信効率を低下させることもなく、信頼性の高い無線通信を行うことが可能となる。
【０００８】
また、請求項４記載の如く、前記各受信ノードは、全ての受信ノードにて使用可能ではないが、少なくとも１以上の受信ノードにて使用可能である搬送波を抽出し、抽出した少なくとも１以上の受信ノードにて使用可能な搬送波のデータを送信ノードへ送信し、前記送信ノードは、前記少なくとも１以上の受信ノードにて使用可能である搬送波を、その受信ノードと送信ノードとの間の個別通信に用いる。
これにより、使用可能なキャリアを有効に活用することが可能となり、通信効率の向上を図ることができる。
【発明の効果】
【０００９】
本発明によれば、周波数選択性フェージングに影響を受けていない正常なキャリアのみ使用して通信が行われることとなるので、受信ノード毎の通信品質にばらつきが生じることなく、通信品質が低下することを回避するとともに、通信効率を低下させることもなく、信頼性の高い無線通信を行うことが可能となる。
【発明を実施するための最良の形態】
【００１０】
次に、本発明を実施するための形態を、添付の図面を用いて説明する。
【００１１】
まず、図１に示す無線通信システム１の構成について説明する。
無線通信システム１は、データ送信を行う送信装置である一つの送信ノード１０と、受信装置となる複数の第１の受信ノード２０、第２の受信ノード３０、および第３の受信ノード４０とを備えており、該送信ノード１０から各受信ノード２０・３０・４０に対して、同時に同一内容のデータを伝送するマルチキャスト通信を行うように構成されている。
また、無線通信システム１においては、送信ノード１０と各受信ノード２０・３０・４０との間で、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数多重）変調等のマルチキャリア伝送方式による無線通信を行うように構成されている。
【００１２】
なお、前記無線通信システム１は、本例の場合、車両内部に設置される通信システムに構成されており、送信ノード１０は、例えばセンサにて構成され、各受信ノード２０・３０・４０は、例えば前記センサからの出力に基づいて機器の制御を行うＥＣＵにて構成されている。
【００１３】
図２に示すように、前記送信ノード１０は、周波数選択性フェージング検出用信号生成部１１と、該周波数選択性フェージング検出用信号生成部１１にて生成された周波数選択性フェージング検出用のパイロット信号や、各受信ノード２０・３０・４０に対して送信するデータ信号等の各種信号をＯＦＤＭ変調させるＯＦＤＭ変調部１２と、該ＯＦＤＭ変調部１２にてＯＦＤＭ変調された各種信号を、アンテナを通じて各受信ノード２０・３０・４０へ送信する送信部１５と、各受信ノード２０・３０・４０から送信された各種信号を、アンテナを通じて受信する受信部１６と、該受信部１６にて受信した各種信号をＯＦＤＭ復調するＯＦＤＭ復調部１４と、前記各受信ノード２０・３０・４０から送信された通信可能キャリアデータに基づいて全ての受信ノード２０・３０・４０にて使用可能なキャリアを抽出する通信可能キャリア抽出部１３とを、備えている。
【００１４】
図３に示すように、前記各受信ノード２０・３０・４０は、前記送信部１０から送信された各種信号を、アンテナを通じて受信する受信部２５と、該受信部２５にて受信した各種信号をＯＦＤＭ復調するＯＦＤＭ復調部２１と、受信ノード２０・３０・４０における複数のキャリアのうち、どのキャリアが周波数選択性フェージングにより使用不可能をなっているかを検出する周波数選択性フェージング検出部２２と、該周波数選択性フェージング検出部２２での検出結果に基づいて通信可能なキャリアを抽出する通信可能キャリア抽出部２３と、該通信可能キャリア抽出部２３にて抽出された通信可能なキャリアのデータ信号や、送信ノード１０に対して送信するデータ信号等の各種信号をＯＦＤＭ変調させるＯＦＤＭ変調部２４と、該ＯＦＤＭ変調部２４にてＯＦＤＭ変調された各種信号を、アンテナを通じて送信ノード１０へ送信する送信部２６と、を備えている。
【００１５】
次に、このように構成される無線通信システム１における送信ノード１０と各受信ノード２０・３０・４０との間での無線通信方法について説明する。
【００１６】
前記送信ノード１０は、各受信ノード２０・３０・４０に対して、ＯＦＤＭ変調にて一つのデータを同時に送信するマルチキャスト通信を行うものであり、該送信ノード１０から出力される出力は、図４に示すように、第１キャリアＣ１〜第１４キャリアＣ１４までの１４本のキャリアが直交関係にあり多重されている。
【００１７】
このように、送信ノード１０は、ＯＦＤＭ変調により直交された複数のキャリアＣ１〜Ｃ１４を用いてデータをパラレルに伝送することにより、高速通信を実現している。
また、送信ノード１０を転送容量よりも低速な通信に適用する場合は、同じデータを複数のキャリアに割り当てることにより、周波数ダイバシティ効果を得ることができ、通信の信頼性向上を図ることができる。
【００１８】
無線通信時に、前記送信ノード１０から放射された電磁波は、距離の２乗に比例する伝播ロスとマルチパス環境下における周波数選択性フェージングにより、減衰しながら各受信ノード２０・３０・４０に到達する。
このように到達した電磁波の、各受信ノード２０・３０・４０での受信状況を図５〜図７に示す。図５には受信ノード２０の受信状況を、図６には受信ノード３０の受信状況を、図７には受信ノード４０の受信状況を示している。
【００１９】
前記各受信ノード２０・３０・４０は異なる位置に搭載されており、マルチパスによる周波数選択性フェージングはデータを受信する受信ノードの搭載位置により発生する周波数と減衰量が異なるため、各受信ノード２０・３０・４０においても周波数選択性フェージングが発生する周波数および減衰量がそれぞれ異なっている。
これにより、受信ノード２０・３０・４０毎に通信品質のばらつきが生じて、周波数選択性フェージングを受けているキャリアのみで送信されたデータは受信することができないため、無線通信システム１に不具合が発生する恐れがある。
【００２０】
そこで、本無線通信システム１においては、送信ノード１０から各受信ノード２０・３０・４０へ実際にデータを送信するマルチキャスト通信を開始する前に、送信ノード１０と各受信ノード２０・３０・４０との間で、次のような通信を行うことにより、周波数選択性フェージングによる通信品質を回避するようにしている。
【００２１】
図８のフロー、および図９のタイムチャートに示すように、まず送信ノード１０から受信ノード２０に対して「通信キャリア特性（つまり周波数選択性フェージングの）検出動作」の実施要求を送信する（Ｓ１０１、ｔ１）。送信ノード１０からの要求を受信した受信ノード２０は、前記通信可能キャリア選択部２３を起動して（Ｓ２０１）、起動が完了すると「通信キャリア特性検出動作」の準備が完了した旨を送信ノード１０へ送信する（Ｓ２０２、ｔ２）。
【００２２】
次に、送信ノード１０では、「通信キャリア特性検出動作」が開始され（Ｓ１０２）、周波数選択性フェージング検出用信号生成部１１にて、すべてのキャリアＣ１〜Ｃ１４に対してパイロット信号を挿入し、各キャリアＣ１〜Ｃ１４に挿入されたパイロット信号を通信キャリア特性検出信号として送信部１５により受信ノード２０へ送信する（Ｓ１０３、ｔ３）。
【００２３】
受信ノード２０は、受信部２５により通信キャリア特性検出信号を受信し（Ｓ２０３）、周波数選択性フェージング検出部２２にて、どのキャリアが周波数選択性フェージングにより使用不可能となっているか検出し、その検出結果に基づいて通信可能なキャリアを通信可能キャリア抽出部２３にて抽出する（Ｓ２０４）。
その後、抽出した通信可能キャリアの情報を、受信ノード２０の送信部２６により送信ノード１０へ送信する（Ｓ２０５、ｔ４）。
【００２４】
受信ノード２０からの通信可能キャリア情報を受信した送信ノード１０は、受信した通信可能キャリア情報を記憶し（Ｓ１０４）、全ての受信ノード２０・３０・４０の通信可能キャリア情報を記憶したか否かの判断をして（Ｓ１０５）、全ての受信ノード２０・３０・４０における通信可能キャリア情報を記憶していない場合は、まだ通信可能キャリア情報を記憶していない受信ノード３０・４０について、前述のステップＳ１０１〜Ｓ１０４およびステップＳ２０１〜Ｓ２０５を繰り返し実行する（ｔ５〜ｔ７）。
【００２５】
本例では、送信ノード１０は、受信ノード２０の通信可能キャリア情報を記憶した後、受信ノード３０にて抽出した通信可能キャリアの情報、および受信ノード４０にて抽出した通信可能キャリアの情報を、順次記憶していく。
このように、送信ノード１０による各受信ノード２０・３０・４０の通信可能キャリア情報の取得は、受信ノード２０→受信ノード３０→受信ノード４０の順に行うといったように、予め定められたタイムチャートに沿って順次行われる。
【００２６】
ここで、各受信ノード２０・３０・４０において、周波数選択性フェージング検出部２２および通信可能キャリア抽出部２３により通信可能なキャリアを抽出する場合、各受信ノード２０・３０・４０の周波数選択性フェージング検出部２２にて、該各受信ノード２０・３０・４０における各キャリアＣ１〜Ｃ１４のうち、周波数選択性フェージングにより影響を受けて使用不可能となっているキャリアを検出するとともに、通信可能キャリア抽出部２３にて通信可能なキャリアを抽出する。
【００２７】
例えば、受信ノード２０においては、図１０に示すように、各キャリアＣ１〜Ｃ１４のうちキャリアＣ２・Ｃ６・Ｃ１０〜Ｃ１２が周波数選択性フェージングにより影響を受けて使用不可能となっているキャリアであるとして周波数選択性フェージング検出部２２にて検出され、それ以外のキャリアＣ１・Ｃ３〜Ｃ５・Ｃ７〜Ｃ９・Ｃ１３・Ｃ１４が通信可能なキャリアとして通信可能キャリア抽出部２３にて抽出される。
【００２８】
また、受信ノード３０においては、図１１に示すように、各キャリアＣ１〜Ｃ１４のうちキャリアＣ２・Ｃ８・Ｃ９・Ｃ１１・Ｃ１２が周波数選択性フェージングにより影響を受けて使用不可能となっているキャリアであるとして周波数選択性フェージング検出部２２にて検出され、それ以外のキャリアＣ１・Ｃ３〜Ｃ７・Ｃ１０・Ｃ１３・Ｃ１４が通信可能なキャリアとして通信可能キャリア抽出部２３にて抽出される。
【００２９】
さらに、受信ノード４０においては、図１２に示すように、各キャリアＣ１〜Ｃ１４のうちキャリアＣ１１〜Ｃ１３が周波数選択性フェージングにより影響を受けて使用不可能となっているキャリアであるとして周波数選択性フェージング検出部２２にて検出され、それ以外のキャリアＣ１〜Ｃ１０・Ｃ１４が通信可能なキャリアとして通信可能キャリア抽出部２３にて抽出される。
【００３０】
送信ノード１０が、各受信ノード２０・３０・４０にて抽出された通信可能キャリアの情報を、全ての受信ノード２０・３０・４０について記憶した後、記憶した全ての受信ノード２０・３０・４０の通信可能キャリアの情報に基づき、該送信ノード１０の通信可能キャリア選択部１３にて、全ての受信ノード２０・３０・４０にて通信可能なキャリアを抽出する（Ｓ１０６）。
本例の場合は、図１３に示すように、受信ノード２０・３０・４０において通信可能となっているキャリアは、キャリアＣ１・Ｃ３〜Ｃ５・Ｃ７・Ｃ１４となる。
【００３１】
送信ノード１０の送信部１５は、抽出した、全ての受信ノード２０・３０・４０にて通信可能なキャリアの情報を、まず受信ノード２０に対して送信する（Ｓ１０７、ｔ８）。
このキャリア情報を受信した受信ノード２０は、送信ノード１０との間でデータ通信を行う際にＯＦＤＭ復調部２１にて復調するキャリアを決定した後（Ｓ２０６）、該受信ノード２０が通信可能な状態にあることを送信ノード１０に対して送信する（Ｓ２０７、ｔ９）。
【００３２】
受信ノード２０からの通信可能な状態にある旨の情報を受信した送信ノード１０は、受信ノード２０が通信可能であることを記憶し（Ｓ１０８）、全ての受信ノード２０・３０・４０が通信可能状態にあることを記憶したか否かの判断をして（Ｓ１０９）、全ての受信ノード２０・３０・４０について通信可能な状態にあることを記憶していない場合は、通信可能な状態にあることをまだ記憶していない受信ノード３０・４０について、前述のステップＳ１０７〜Ｓ１０８およびステップＳ２０６〜Ｓ２０７を繰り返し実行する（ｔ１０〜ｔ１２）。
【００３３】
本例では、送信ノード１０は、受信ノード２０が通信可能な状態にある旨を記憶した後、受信ノード３０が通信可能な状態にある旨、および受信ノード４０が通信可能な状態にある旨を、順次記憶していく。
このように、送信ノード１０による、各受信ノード２０・３０・４０が通信可能な状態にある旨の情報の取得は、受信ノード２０→受信ノード３０→受信ノード４０の順に行うといったように、予め定められたタイムチャートに沿って順次行われる。
【００３４】
そして、送信ノード１０は、全ての受信ノード２０・３０・４０が受信可能な状態にあることを確認すると、前記ステップＳ１０６で抽出された、全ての受信ノード２０・３０・４０で通信可能なキャリアに送信データを割り当てて、全ての受信ノード２０・３０・４０に対して送信を開始し、マルチキャスト通信を行う（Ｓ１１０、ｔ１３）。
【００３５】
このように、送信ノード１０および複数の受信ノード２０・３０・４０を備える無線通信システム１においては、各受信ノード２０・３０・４０における複数のキャリアＣ１〜Ｃ１４のうち、周波数選択性フェージングの影響により使用不可となっているキャリアを検出して、全ての受信ノード２０・３０・４０において使用可能となっているキャリアを抽出した後に、抽出した全ての受信ノード２０・３０・４０において使用可能なキャリアのみを用いて、前記送信ノード１０から各受信ノード２０・３０・４０へのデータ伝送を行うマルチキャスト通信を開始するように構成している。
【００３６】
これにより、周波数選択性フェージングに影響を受けていない正常なキャリアのみ使用して通信が行われることとなるので、受信ノード２０・３０・４０毎の通信品質にばらつきが生じることなく、通信品質が低下することを回避するとともに、通信効率を低下させることもなく、信頼性の高い無線通信を行うことが可能となる。
【００３７】
なお、全ての受信ノード２０・３０・４０で通信可能なキャリアに送信データを割り当ててマルチキャスト通信を行う場合に、余ったキャリアが存在するときには、同じデータを冗長系として余ったキャリアに割り当てることで、周波数ダイバシティ効果を得ることが可能となる。
また、各受信ノード２０・３０・４０においては、検出した使用不可能なキャリアについては、ＯＦＤＭ復調部２１にて復調を行わないように制御されている。
【００３８】
また、本無線通信システム１においては、全ての受信ノード２０・３０・４０において通信可能となっているわけではないが、何れか一つ以上の受信ノード２０・３０・４０で通信可能となっているキャリアについては、その通信可能となっている受信ノード２０・３０・４０と送信ノード１０との間での個別の通信に用いるように構成している。
つまり、前記キャリアは、前記送信ノード１０から各受信ノード２０・３０・４０に対して、同時に同一内容のデータが伝送されるマルチキャスト通信とは別に、各受信ノード２０・３０・４０に個別の内容のデータを送信ノード１０から送信する際に用いられる。
【００３９】
例えば、本例の場合では、受信ノード２０におけるキャリアＣ８・Ｃ９・Ｃ１３が、受信ノード３０におけるキャリアＣ６・Ｃ１０・Ｃ１３が、受信ノード４０におけるキャリアＣ２・Ｃ６・Ｃ８・Ｃ９・Ｃ１０が、それぞれ送信ノード１０との個別通信に使用される。
【００４０】
このように、全ての受信ノード２０・３０・４０において通信可能となっているわけではないが、何れか一つ以上の受信ノード２０・３０・４０で通信可能となっているキャリアを、各受信ノード２０・３０・４０と送信ノード１０との間での個別の通信に用いるように構成することで、使用可能なキャリアを有効に活用することが可能となり、通信効率の向上を図ることができる。
【図面の簡単な説明】
【００４１】
【図１】無線通信システムを示す概略図である。
【図２】送信ノードを示すブロック図である。
【図３】受信ノードを示すブロック図である。
【図４】送信ノードから送信される出力波形を示す図である。
【図５】第１の受信ノードが受信する周波数選択性フェージングの影響を受けた受信波形を示す図である。
【図６】第２の受信ノードが受信する周波数選択性フェージングの影響を受けた受信波形を示す図である。
【図７】第３の受信ノードが受信する周波数選択性フェージングの影響を受けた受信波形を示す図である。
【図８】無線通信システムにおいてマルチキャスト通信を開始する前に、送信ノードと各受信ノードとの間で行われる通信のフローを示す図である。
【図９】無線通信システムにおいてマルチキャスト通信を開始する前に、送信ノードと各受信ノードとの間で行われる通信のタイムチャートを示す図である。
【図１０】第１の受信ノードにおいて抽出された通信可能なキャリアを示す図である。
【図１１】第２の受信ノードにおいて抽出された通信可能なキャリアを示す図である。
【図１２】第３の受信ノードにおいて抽出された通信可能なキャリアを示す図である。
【図１３】送信ノードにおいて抽出された全ての受信ノードにて通信可能なキャリアを示す図である。
【符号の説明】
【００４２】
１    無線通信システム
１０    送信ノード
１１    周波数選択性フェージング検出用信号生成部
１２    ＯＦＤＭ変調部
１３    通信可能キャリア抽出部
１４    ＯＦＤＭ復調部
１５    送信部
１６    受信部
２０    第１受信ノード
２１    ＯＦＤＭ復調部
２２    周波数選択性フェージング検出部
２３    通信可能キャリア抽出部
２４    ＯＦＤＭ変調部
２５    受信部
２６    送信部
３０    第２受信ノード
４０    第３受信ノード
Ｃ１〜Ｃ１４  キャリア
【図１】
2008109406.tif 000003
【図２】
2008109406.tif 000004
【図３】
2008109406.tif 000005
【図４】
2008109406.tif 000006
【図５】
2008109406.tif 000007
【図６】
2008109406.tif 000008
【図７】
2008109406.tif 000009
【図８】
2008109406.tif 000010
【図９】
2008109406.tif 000011
【図１０】
2008109406.tif 000012
【図１１】
2008109406.tif 000013
【図１２】
2008109406.tif 000014
【図１３】
2008109406.tif 000015